(57)【要約】【課題】絞り機構の小型化に際して、絞り有効径を生成するための絞り羽根以外の構成を必要とせず、絞り有効径以外からの漏光の発生を防止することが可能となる絞り機構を提供する。【解決手段】複数の絞り羽根１と、該絞り羽根により決定される絞り有効径以外の個所からの漏光を防ぐ手段を有する絞り機構において、前記漏光を防ぐ手段は、前記複数の絞り羽根１のそれぞれに設けられた漏光防止用突起２によって、前記絞り羽根の絞り込み時に絞り羽根同士が重なり合わない領域を覆い、該領域からの露光を防止するように構成する。【選択図】            図２
2004294678.tif 000002
【特許請求の範囲】
【請求項１】
複数の絞り羽根と、該絞り羽根により決定される絞り有効径以外の個所からの漏光を防ぐ手段を有する絞り機構において、
前記漏光を防ぐ手段は、前記複数の絞り羽根のそれぞれに設けられた漏光防止用突起によって、前記絞り羽根の絞り込み時に絞り羽根同士が重なり合わない領域を覆い、該領域からの露光を防止するように構成されていることを特徴とする絞り機構。
【発明の詳細な説明】
【０００１】
【発明の属する技術分野】
本発明は、絞り羽根により決定される絞り有効径以外の個所からの漏光を防ぐ手段を有する絞り機構に関するものである。
【０００２】
【従来の技術】
従来、カメラレンズの絞り機構において、図７乃至図９に示すような、絞り開口径と絞り機構により決定される絞り羽根外径との径差が、絞り羽根により決定される絞り有効径以外の漏光を防ぐ為に十分な量を有するカメラレンズの絞り機構が知られている。
また、特許文献１あるいは特許文献２では、図１０乃至図１２に示されるような、絞り開口径と絞り機構により決定される絞り羽根外径との径差が少なく、絞り羽根により決定される絞り有効径以外の漏光を防ぐ為に、絞り有効径を決定する第一の絞り羽根と異なる個所に配置された、該第一の絞り羽根と同時に連動するような第二の絞り羽根を有するカメラレンズの絞り機構が提唱されている。
【０００３】
ここで、まず図７乃至図９に示される従来の絞り機構について説明する。
図７乃至図９に示すように、複数の絞り羽根５０の各片面側に固定ダボと称せられる回転軸５１を植設すると共に、他面側に回転ダボと称せられるピン５２を植設し、蜂の巣と称せられる絞り羽根容器（光軸を中心とした円形の開口５４が設けられている）５３に穿設された、該絞り羽根５０と同数の各軸孔５５に、前記各回転軸５１を嵌合するようにして、複数の絞り羽根５０を収容する。
また、風車と称せられるカム部材（光軸を中心とした円形の開口５７が設けられている）５６に形成された、該絞り羽根５０と同数の各カム溝５８に前記各ピン５２が嵌合している。
【０００４】
そして、該絞り羽根容器５３と該カム部材５６とを光軸を中心として相対的に回転させることにより、該各ピン５２が該各カム溝５８に沿って移動し、該絞り羽根容器５３と該カム部材５６との間に収容されている、前記複数枚の絞り羽根５０が、該各回転軸５１を中心として傾き、傾いた該絞り羽根５０の重なり合いによって中央部に形成される絞り有効径の面積を変化させ、レンズ装置が必要とする光学系の光量調節を行うようにしている。
このような構造は、絞り羽根を絞り込んだ際に、該絞り羽根における曲線５９の形状のように絞り有効径以外の個所から光が漏れないように羽根の形状を決定しており（図８参照）該曲線５９と、絞りの有効径を決定する為の形状である曲線６０とで、絞り羽根の形状が支配的に決定される。このように定められた絞り羽根の径に従って絞り機構の外径形状が定まっていた。
ところが、レンズ筐体の外径を小さくすることで装置自体を小型、軽量化を行おうとすると、前記曲線５９と前記曲線６０との径差が十分に確保出来ないために、絞り込み時に羽根の重なり合わない個所が発生することにより、絞り有効径以外からの漏光を生じてしまう。
【０００５】
このような場合に、小型、軽量化を目的としたレンズ装置に適用される絞り機構として、前記特許文献１あるいは特許文献２における図１０、図１１（図１０のＤ矢視図）、乃至図１２（図１０のＥ矢視図）に示すような、絞り有効径を決定するための複数の第一絞り羽根６１からなる有効径決定用絞り羽根群と、該有効径決定用絞り羽根群において有効径以外からの漏光を防ぐための複数の第二の絞り羽根６６からなる漏光防止用絞り羽根群からなるカメラレンズの絞り機構が構成される。
なお、第二絞り羽根を用いた構造については、特許文献１あるいは特許文献２などに詳しく記載されているので、詳細な説明は省略する。
【特許文献１】特願平２−２４２２３９号公報
【特許文献２】特願平５−１１３５９１号公報
【０００６】
【発明が解決しようとする課題】
前述の特許文献１あるいは特許文献２などの絞り機構の構成では、前記したように第一絞り羽根６１を絞り込んだ際に生じてしまう漏光を防ぐ為に、第二絞り羽根６６を設けている。しかし、該第一絞り羽根６１の所定の傾きを生じさせる為の第一風車６２と、第二絞り羽根の漏光防止作動を実現する為の傾きを生じさせる為の第二風車６７とが連動して該第二絞り羽根６６が駆動されなくてはならず、その為の機構が複雑であり、且つ部品点数が増加することになり、また部品の精度的な難易度が高くなってしまうという点等に、問題を有する。
【０００７】
そこで、本発明は、絞り機構の小型化に際して、絞り有効径を生成するための絞り羽根以外の構成を必要とせず、絞り有効径以外からの漏光の発生を防止することが可能となる絞り機構を提供することを目的とするものである。
【０００８】
【課題を解決するための手段】
本発明の絞り機構は、複数の絞り羽根と、該絞り羽根により決定される絞り有効径以外の個所からの漏光を防ぐ手段を有する絞り機構において、
前記漏光を防ぐ手段は、前記複数の絞り羽根のそれぞれに設けられた漏光防止用突起によって、前記絞り羽根の絞り込み時に絞り羽根同士が重なり合わない領域を覆い、該領域からの露光を防止するように構成されている。
より具体的には、複数の絞り羽根からなる絞り羽根群が、絞り有効径を生成する為に移動した際に、漏光してしまう個所が無いような遮光用突起をそれぞれ有しており、該漏光防止用突起は、前記絞り羽根の開放時に、該絞り羽根を格納する台座部である蜂の巣に形成した溝から突出する形状を有し、この突出した遮光用突起は隣接するレンズの駆動機構等、隣接する機構部と干渉しない角度位相に配された構成を有している。
【０００９】
このような構成により、絞り有効径を決定する絞り羽根自体を小型化しつつ、該絞り羽根が有効径を生成する段階において、絞り羽根の重ならない個所が生じることによる漏光を、絞り有効径を決定する絞り羽根とは別の漏光の遮光用絞り羽根機構を設けることなく、漏光個所の必要最小限の面積を遮光する突起を設けておくことで、絞り装置全体の小型化と、絞り機構要素の簡略化とを同時に図ることができる絞り機構を実現することが可能となる。
【００１０】
【発明の実施の形態】
本発明の実施の形態について、以下の実施例により説明する。
【００１１】
【実施例】
図１は本発明の実施例における絞り機構を示す縦断面図、図２は図１のＡ矢視図、図３は図１のＢ矢視図をそれぞれ示している。
本実施例は、絞り有効径を決定するための複数の絞り羽根１からなる有効径（Ｄ１）決定用絞り羽根群には、絞り有効径外からの漏光を防ぐ為の必要最小限の面積を有する漏光防止用突起２が設けられており、該漏光防止用突起２は該絞り羽根１の絞り開放径の位相の時に、隣接する機構系に干渉することの無い角度位相において、絞り羽根が収容される蜂の巣５から突出する構成となっている。
所定の有効径を決定する為の絞り羽根群を構成する枚数（本実施例では６枚）の絞り羽根１は、基本形状として幅が略一定の弧状に掲載されているが、後述する該絞り羽根１の絞込み時に羽根の重なり合いが行われない領域を覆う為の漏光防止用突起２が設けられている。
【００１２】
該絞り羽根１には、その一端側に植設された回転中心となる固定ダボ３が、中央に円形の開口５ａを有する蜂の巣５に穿設された該絞り羽根１用の第一軸孔（不図示）に回転可能に嵌合し、更に該絞り羽根１に植設された回転ダボ４が、中央に開口６ａが形成された風車６のカム溝６ｂに摺動可能に嵌合する。
また、該風車６を光軸を中心として該蜂の巣５に対して回転させることにより、複数の該絞り羽根１が該固定ダボ３を中心にして傾き、それらの羽根の重ね合わせにより所定の絞り有効径が決定される。
【００１３】
ところで、図７の従来の絞り機構では、絞り羽根の外形側の幅を広く取れる構造、つまり所定の絞り有効径とレンズ装置自体の径との径差が十分に確保できる構造である為、絞りを絞り込むと他の絞り羽根との先端部側と重なり合うことで、他の絞り羽根との間との漏光を防ぐことが出来る。
しかしながら、図１０のような絞り機構の外径を小型化（小径化）したような構造においては、絞り羽根の幅が略一定とした円弧状に形成することで絞り機構の小径化を図っている為、絞り羽根を絞り込むと他の絞り羽根との間に重なり合わない領域が生じてしまう為、漏光してしまう。
【００１４】
上述のような、小径化された絞り羽根の漏光を防ぐ為に、従来漏光防止用の第二の絞り羽根による機構が提唱されてきたが、絞り羽根を絞り込んだ際に、絞り羽根同士が重なり合わない領域（図２の斜線部面積）が発生することによる漏光を防止する為に、漏光を最小限の面積にて覆うことが出来る範囲にのみ、該漏光防止用突起２を生成することにより、該絞り羽根１の絞込み時の漏光を防ぐことが可能となる。
該漏光防止用突起２は、該絞り羽根１が絞り開放時には、該蜂の巣５に穿設された該漏光防止用突起２の逃げ溝５ｂから絞り機構外部に突出する構造となるが（図３参照）、図４に示すように絞り機構を形成する該蜂の巣５に隣接するカム環７、固定筒８、コンペンセータ９の何れにも干渉しないように、該蜂の巣５に対する該漏光防止用突起２の突起量が定められている。
【００１５】
特に、該コンペンセータ９はズーム動作により該蜂の巣５との間隔が可変する構造であるが、絞り装置が組み込まれるレンズ装置のズーム倍率が高い程、該コンペンセータ９と該蜂の巣５との間隔が狭まる傾向にある。この時、該カム環７上に所定のズーミング動作を行う為のカム曲線７ａに嵌合摺動するようなコロ１０を、該コンペンセータ９上に固定するための突起部９ａが、最も該蜂の巣５との間隔が狭くなる個所となる。
この時、該コンペンセータ９は、所定のズーミング動作により、防遠側に移動された際には、図５に示されるように該突起部９ａが該蜂の巣５上に入り込むような配置となる。
【００１６】
図６に示すように、上述の該コンペンセータ９上の突起部９ａが該蜂の巣５上に入り込む配置においても、該突起部９ａと該漏光防止用突起部２とが干渉しないような角度位相配置に、該絞り羽根１（乃至、該漏光防止用突起部２）が配されている。
従って、本実施例に拠れば、絞り有効径を決定する該絞り羽根１において、絞込み時の漏光を防ぐ領域のみを該漏光防止用突起２として突出させ、該漏光防止用突起以外の領域については該絞り羽根１の基端部側の幅を小さくすることで、絞り機構全体の外形を小型化することが可能となる。
また、同時に絞り開放径において該蜂の巣５から突出することになる該漏光防止用突起２は、絞り機構周辺に配される他の機構系、特にズーム機構部における該コンペンセータ９のズーム配置に拠らず、干渉しない角度位相に配されることで、漏光を防ぎ、且つ小径である絞り機構を構成することが可能となる。
【００１７】
本願発明の実施の態様として、以下のような実施態様例を列挙することができる。
【実施態様１】複数の絞り羽根と、該絞り羽根により決定される絞り有効径以外の個所からの漏光を防ぐ手段を有する絞り機構において、
前記漏光を防ぐ手段は、前記複数の絞り羽根のそれぞれに設けられた漏光防止用突起によって、前記絞り羽根の絞り込み時に絞り羽根同士が重なり合わない領域を覆い、該領域からの露光を防止するように構成されていることを特徴とする絞り機構。
【実施態様２】前記絞り羽根は、絞り機構により決定される絞り羽根外径が、絞り開口径と径差の少ない形状を有する絞り羽根であることを特徴とする実施態様１に記載の絞り機構。
【実施態様３】前記漏光防止用突起は、前記絞り羽根の開放時に、隣接する機構部と干渉しない角度位相に配されていることを特徴とする実施態様１または実施態様２に記載の絞り機構。
【００１８】
【発明の効果】
本発明によれば、絞り機構の小型化に際して、絞り有効径を生成するための絞り羽根以外の構成を必要とせず、絞り有効径以外からの漏光の発生を防止することが可能な絞り機構を実現することができる。
【図面の簡単な説明】
【図１】本発明の実施例における絞り機構の光軸方向における縦断面図である。
【図２】図１におけるＡ矢視図である。
【図３】図１におけるＢ矢視図である。
【図４】本発明の実施例における絞り機構を構成したレンズ装置の、絞り機構に隣接する機構要素を示す光軸方向縦断面図である。
【図５】図４の機構の、ズーム望遠側の機構配置を示す光軸方向縦断面図である。
【図６】図５における、絞り機構とその隣接部の構造を示す斜視図である。
【図７】従来の絞り機構の光軸方向における縦断面図である。
【図８】図７の絞り羽根を示す図である。
【図９】図７におけるＣ矢視図である。
【図１０】遮光用に別の絞り羽根機構を併設した従来の絞り機構の光軸方向断面図である。
【図１１】図１０におけるＤ矢視図である。
【図１２】図１０におけるＥ矢視図である。
【符号の説明】
１，５０：  絞り羽根
２：漏光防止用突起
３，５１：固定ダボ
４，５２：回転ダボ
５，５３：蜂の巣
５ａ，５４：蜂の巣円形開口
６，５６  ：風車
６ａ，５７：風車円形開口
７：カム環
７ａ：カム曲線
８  ：固定筒
９  ：コンペンセータ
９ａ：突起
１０：コロ
５５：蜂の巣軸孔
５８：風車カム溝
５９，６０：（絞り羽根）曲線
６１：第一絞り羽根
６２  ：第一風車
６２ａ：第一風車開口
６２ｂ  ：第一風車カム溝
６３：第一絞り羽根固定ダボ
６４：第一絞り羽根回転ダボ
６５：共通蜂の巣
６６：第二絞り羽根
６７：第二風車
６８：第二絞り羽根固定ダボ
６９：第二絞り羽根回転ダボ
【図１】
2004294678.tif 000003
【図２】
2004294678.tif 000004
【図３】
2004294678.tif 000005
【図４】
2004294678.tif 000006
【図５】
2004294678.tif 000007
【図６】
2004294678.tif 000008
【図７】
2004294678.tif 000009
【図８】
2004294678.tif 000010
【図９】
2004294678.tif 000011
【図１０】
2004294678.tif 000012
【図１１】
2004294678.tif 000013
【図１２】
2004294678.tif 000014